【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
４つ以上の電池と、
前記４つ以上の電池を内部に収納するケースと、
を具備し、
前記４つ以上の電池は、第１の電池、第１の方向について前記第１の電池に対して隣り合う第２の電池、前記第１の方向に交差する第２の方向について前記第１の電池に対して隣り合う第３の電池、及び、前記第１の方向について前記第３の電池に対して隣り合い、かつ、前記第２の方向について前記第２の電池に対して隣り合う第４の電池を備え、
前記ケースは、前記第１の電池と前記第２の電池との間の領域及び前記第３の電池と前記第４の電池との間の領域を通って形成され、前記第１の電池と前記第２の電池との間及び前記第３の電池と前記第４の電池との間を仕切る第１の仕切り壁と、前記第１の電池と前記第３の電池との間の領域及び前記第２の電池と前記第４の電池との間の領域を通って形成され、前記第１の電池と前記第３の電池との間及び前記第２の電池と前記第４の電池との間を仕切る第２の仕切り壁と、を備え、
前記ケースは、第１のケース部材と、前記第１の方向及び前記第２の方向の両方に交差する第３の方向の一方側から前記第１のケース部材に連結される第２のケース部材と、前記第１の仕切り壁と前記第２の仕切り壁との交差部分において前記第１のケース部材を前記第２のケース部材に締結する締結部材と、を備え、
前記ケースは、前記第１の仕切り壁の表面において前記第１の方向へ突出する第１のリブ、及び、前記第２の仕切り壁の表面において前記第２の方向へ突出する第２のリブの少なくとも一方を備える、
電池モジュール。
【請求項２】
前記第１のリブが４つ以上設けられ、前記第１の仕切り壁から前記第１の電池乃至前記第４の電池のそれぞれに向かって前記第１のリブが１つ以上ずつ突出するか、及び、
前記第２のリブが４つ以上設けられ、前記第２の仕切り壁から前記第１の電池乃至前記第４の電池のそれぞれに向かって前記第２のリブが１つ以上ずつ突出するか、
の少なくとも一方である、請求項１の電池モジュール。
【請求項３】
前記４つ以上の電池のそれぞれは、電極群と、前記電極群が内部空洞に収納される外装容器と、を備え、
前記４つ以上の電池のそれぞれの前記外装容器では、縦方向についての寸法が、前記縦方向に交差する横方向についての寸法、及び、前記縦方向及び前記横方向の両方に交差する高さ方向についての寸法のそれぞれに比べて、小さく、
前記４つ以上の電池のそれぞれは、前記縦方向が前記第１の方向に沿い、かつ、前記横方向が前記第２の方向に沿う状態で、配置される、
請求項１又は２の電池モジュール。
【請求項４】
前記４つ以上の電池のそれぞれの前記外装容器は、前記内部空洞に対して高さ方向の一方側に位置する底壁と、前記内部空洞の外周側を囲む周壁と、前記高さ方向について前記底壁とは反対側から前記周壁に取付けられる蓋部材と、を備え、
前記４つ以上の電池のそれぞれは、前記蓋部材の外表面に取付けられる電極端子を備え、
前記第２のケース部材は、ケース頂壁を備え、
前記４つ以上の電池のそれぞれの前記蓋部材の前記外表面は、前記第３の方向について前記ケース頂壁が位置する側を向き、
前記ケースは、前記第３の方向について前記ケース頂壁が位置する側へ前記４つ以上の電池のそれぞれを押圧するクラッシュリブを備え、
前記４つ以上の電池のそれぞれでは、前記クラッシュリブからの押圧によって、前記蓋部材の前記外表面が前記ケース頂壁の内表面に当接し、前記電極端子が前記ケース頂壁の前記内表面に対して前記第３の方向について外側へ突出する、
請求項３の電池モジュール。
【請求項５】
前記第１の電池及び前記第３の電池は、前記第２の方向に沿って複数の電池が配列される第１の電池列を形成し、
前記第２の電池及び前記第４の電池は、前記第２の方向に沿って複数の電池が配列される第２の電池列を形成し、
前記第１の電池列は、前記第１の方向について前記第２の電池列に対して隣り合う、
請求項１乃至４のいずれか１項の電池モジュール。
【請求項６】
前記４つ以上の電池は、前記第１の電池列及び前記第２の電池列を含む電池列を第１の数だけ形成し、
前記第１の電池列及び前記第２の電池列を含む前記電池列のそれぞれでは、第１の数より大きい第２の数の電池が、前記第２の方向に沿って配列される、
請求項５の電池モジュール。
【請求項７】
前記ケースでは、前記第２の方向についての寸法が、前記第１の方向についての寸法及び前記第３の方向についての寸法のそれぞれに比べて大きい、請求項１乃至６のいずれか１項の電池モジュール。
【請求項８】
前記第１のケース部材は、ケース底壁と、前記第１の仕切り壁と前記第２の仕切り壁との前記交差部分において前記第３の方向について前記第２のケース部材が位置する側へ向かって前記ケース底壁から凹む凹部と、を備え、
前記第２のケース部材には、前記第１の仕切り壁と前記第２の仕切り壁との前記交差部分に、前記凹部と連通する穴が、前記第３の方向に沿って形成され、
前記締結部材は、前記凹部の底面に前記ケース底壁が位置する側から当接する頭部と、前記第２のケース部材の前記穴に挿入され、前記穴において前記第２のケース部材と係合する係合部と、を備える、
請求項１乃至７のいずれか１項の電池モジュール。
【請求項９】
請求項１乃至８のいずれか１項の電池モジュールを具備する、電池パック。
【請求項１０】
請求項９の電池パックを具備する、車両。
【手続補正２】
【補正対象書類名】明細書
【補正対象項目名】０００５
【補正方法】変更
【補正の内容】
【０００５】
実施形態によれば、電池モジュールは、４つ以上の電池と、４つ以上の電池を内部に収納するケースと、を備える。４つ以上の電池は、第１の電池、第１の方向について第１の電池に対して隣り合う第２の電池、第１の方向に交差する第２の方向について第１の電池に対して隣り合う第３の電池、及び、第１の方向について第３の電池に対して隣り合い、かつ、第２の方向について第２の電池に対して隣り合う第４の電池を備える。ケースは、第１の電池と第２の電池との間の領域及び第３の電池と第４の電池との間の領域を通って形成され、第１の電池と第２の電池との間及び第３の電池と第４の電池との間を仕切る第１の仕切り壁と、第１の電池と第３の電池との間の領域及び第２の電池と第４の電池との間の領域を通って形成され、第１の電池と第３の電池との間及び第２の電池と第４の電池との間を仕切る第２の仕切り壁と、を備える。ケースは、第１のケース部材と、第１の方向及び第２の方向の両方に交差する第３の方向の一方側から第１のケース部材に連結される第２のケース部材と、第１の仕切り壁と第２の仕切り壁との交差部分において第１のケース部材を第２のケース部材に締結する締結部材と、を備える。ケースは、第１の仕切り壁の表面において第１の方向へ突出する第１のリブ、及び、第２の仕切り壁の表面において第２の方向へ突出する第２のリブの少なくとも一方を備える。
【手続補正３】
【補正対象書類名】明細書
【補正対象項目名】０１０６
【補正方法】変更
【補正の内容】
【０１０６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の出願当初の特許請求の範囲に記載された事項を付記する。
［１］４つ以上の電池と、
前記４つ以上の電池を内部に収納するケースと、
を具備し、
前記４つ以上の電池は、第１の電池、第１の方向について前記第１の電池に対して隣り合う第２の電池、前記第１の方向に交差する第２の方向について前記第１の電池に対して隣り合う第３の電池、及び、前記第１の方向について前記第３の電池に対して隣り合い、かつ、前記第２の方向について前記第２の電池に対して隣り合う第４の電池を備え、
前記ケースは、前記第１の方向について前記第１の電池と前記第２の電池との間及び前記第３の電池と前記第４の電池との間を仕切る第１の仕切り壁と、前記第２の方向について前記第１の電池と前記第３の電池との間及び前記第２の電池と前記第４の電池との間を仕切る第２の仕切り壁と、を備え、
前記ケースは、第１のケース部材と、前記第１の方向及び前記第２の方向の両方に交差する第３の方向の一方側から前記第１のケース部材に連結される第２のケース部材と、前記第１の仕切り壁と前記第２の仕切り壁との交差部分において前記第１のケース部材を前記第２のケース部材に締結する締結部材と、を備え、
前記ケースは、前記第１の仕切り壁の表面において前記第１の方向へ突出する第１のリブ、及び、前記第２の仕切り壁の表面において前記第２の方向へ突出する第２のリブの少なくとも一方を備える、
電池モジュール。
［２］前記第１のリブが４つ以上設けられ、前記第１の仕切り壁から前記第１の電池乃至前記第４の電池のそれぞれに向かって前記第１のリブが１つ以上ずつ突出するか、及び、
前記第２のリブが４つ以上設けられ、前記第２の仕切り壁から前記第１の電池乃至前記第４の電池のそれぞれに向かって前記第２のリブが１つ以上ずつ突出するか、
の少なくとも一方である、［１］の電池モジュール。
［３］前記４つ以上の電池のそれぞれは、電極群と、前記電極群が内部空洞に収納される外装容器と、を備え、
前記４つ以上の電池のそれぞれの前記外装容器では、縦方向についての寸法が、前記縦方向に交差する横方向についての寸法、及び、前記縦方向及び前記横方向の両方に交差する高さ方向についての寸法のそれぞれに比べて、小さく、
前記４つ以上の電池のそれぞれは、前記縦方向が前記第１の方向に沿い、かつ、前記横方向が前記第２の方向に沿う状態で、配置される、
［１］又は［２］の電池モジュール。
［４］前記４つ以上の電池のそれぞれの前記外装容器は、前記内部空洞に対して高さ方向の一方側に位置する底壁と、前記内部空洞の外周側を囲む周壁と、前記高さ方向について前記底壁とは反対側から前記周壁に取付けられる蓋部材と、を備え、
前記４つ以上の電池のそれぞれは、前記蓋部材の外表面に取付けられる電極端子を備え、
前記第２のケース部材は、ケース頂壁を備え、
前記４つ以上の電池のそれぞれの前記蓋部材の前記外表面は、前記第３の方向について前記ケース頂壁が位置する側を向き、
前記ケースは、前記第３の方向について前記ケース頂壁が位置する側へ前記４つ以上の電池のそれぞれを押圧するクラッシュリブを備え、
前記４つ以上の電池のそれぞれでは、前記クラッシュリブからの押圧によって、前記蓋部材の前記外表面が前記ケース頂壁の内表面に当接し、前記電極端子が前記ケース頂壁の前記内表面に対して前記第３の方向について外側へ突出する、
［３］の電池モジュール。
［５］前記第１の電池及び前記第３の電池は、前記第２の方向に沿って複数の電池が配列される第１の電池列を形成し、
前記第２の電池及び前記第４の電池は、前記第２の方向に沿って複数の電池が配列される第２の電池列を形成し、
前記第１の電池列は、前記第１の方向について前記第２の電池列に対して隣り合う、
［１］乃至［４］のいずれか１項の電池モジュール。
［６］前記４つ以上の電池は、前記第１の電池列及び前記第２の電池列を含む電池列を第１の数だけ形成し、
前記第１の電池列及び前記第２の電池列を含む前記電池列のそれぞれでは、第１の数より大きい第２の数の電池が、前記第２の方向に沿って配列される、
［５］の電池モジュール。
［７］前記ケースでは、前記第２の方向についての寸法が、前記第１の方向についての寸法及び前記第３の方向についての寸法のそれぞれに比べて大きい、［１］乃至［６］のいずれか１項の電池モジュール。
［８］前記第１のケース部材は、ケース底壁と、前記第１の仕切り壁と前記第２の仕切り壁との前記交差部分において前記第３の方向について前記第２のケース部材が位置する側へ向かって前記ケース底壁から凹む凹部と、を備え、
前記第２のケース部材には、前記第１の仕切り壁と前記第２の仕切り壁との前記交差部分に、前記凹部と連通する穴が、前記第３の方向に沿って形成され、
前記締結部材は、前記凹部の底面に前記ケース底壁が位置する側から当接する頭部と、前記第２のケース部材の前記穴に挿入され、前記穴において前記第２のケース部材と係合する係合部と、を備える、
［１］乃至［７］のいずれか１項の電池モジュール。
［９］［１］乃至［８］のいずれか１項の電池モジュールを具備する、電池パック。
［１０］［９］の電池パックを具備する、車両。